(57)【要約】【課題】本発明の課題は、通信用コードの向きが変わっても、コードに無理な応力がかからず、安定して固定することができ、長期使用に耐え得る信頼性向上が得られる通信用コード固定装置を提供することにある。【解決手段】本発明は、通信用コードを建造物に固定する通信用コード固定装置であって、建造物に固定される固定装置本体２１と、前記固定装置本体２１に回動自在に設けられ、通信用コードが保持されるコード保持部２４とを具備することを特徴とするものである。【選択図】図１
2007020277.tif 000002
【特許請求の範囲】
【請求項１】
通信用コードを建造物に固定する通信用コード固定装置であって、
建造物に固定される固定装置本体と、
前記固定装置本体に回動自在に設けられ、通信用コードが保持されるコード保持部と
を具備することを特徴とする通信用コード固定装置。
【請求項２】
通信用コードを建造物に固定する通信用コード固定装置であって、
建造物に固定される固定装置本体と、
通信用コードが保持されるコード保持部と、
前記固定装置本体に前記コード保持部を接続するように設けられ、前記固定装置本体に対して前記コード保持部が建造物の固定面と水平方向に回動自在に取り付けられる軸部と
を具備することを特徴とする通信用コード固定装置。
【請求項３】
コード保持部として、通信用コードが挟み込まれて把持されるようにしたコード把持構造とすることを特徴とする請求項１又は２に記載の通信用コード固定装置。
【請求項４】
固定装置本体の建造物への固定として、接着剤により貼り付けて固定することを特徴とする請求項１、２又は３に記載の通信用コード固定装置。
【請求項５】
接着剤として、両面接着テープの接着剤を用いることを特徴とする請求項４に記載の通信用コード固定装置。
【請求項６】
固定装置本体の建造物への固定として、Ｕ字型釘を用いて固定することを特徴とする請求項１、２又は３に記載の通信用コード固定装置。
【発明の詳細な説明】
【技術分野】
【０００１】
本発明は、例えば光カールコード等の通信用コードを建造物に固定する通信用コード固定装置に関するものである。
【背景技術】
【０００２】
従来、建造物内に光ネットワークを構築する際、光インドアケーブルの固定装置としては、直線の構造をしている光インドアケーブル用の光ステップル等があった（例えば、特許文献１参照。）。
【０００３】
【特許文献１】特開２００３-２７０４５１号公報
【発明の開示】
【発明が解決しようとする課題】
【０００４】
図４は従来の通信用コード固定装置を示す斜視図である。すなわち、建造物に固定された固定装置本体１１の溝部１２に通信用コードを挿入し、蓋１３を閉じて蓋１３の係止部１４を固定装置本体１１に係止することにより、通信用コードを保持し、通信用コードを建造物に固定していた。
【０００５】
図５は従来の通信用コード固定装置を用いて螺旋状コードを固定する際の欠点を示す説明図である。図５において、Ｃ１は伸びていない状態の光カールコード、Ｃ２は少し伸びた状態の光カールコード、Ｃ３は十分伸びた状態の光カールコード、Ａ１は光カールコードＣ１のコードの向き、Ａ２は光カールコードＣ２のコードの向き、Ａ３は光カールコードＣ３のコードの向き、Ｂ１〜Ｂ３は通信用コード挿入用溝部の方向を同じ方向に固定した通信用コード固定装置、Ｄ１〜Ｄ３は通信用コード挿入用溝部の方向をケーブルの向き合わせて固定した通信用コード固定装置である。
【０００６】
しかしながら、光カールコードＣ１〜Ｃ３は伸び縮みが自由なため、コードの向きは伸びる度合いにより変わってくるが、通信用コード固定装置Ｂ１〜Ｂ３、Ｄ１〜Ｄ３は一度固定したら、もう向きを変えることができない。したがって、通信用コード挿入用溝部の方向を同じ方向に固定した通信用コード固定装置Ｂ１〜Ｂ３では、光カールコードＣ３のように長く伸ばされて、コードの向きが大きく傾いた場合、対応できなくなる。すなわち、通信用コード固定装置Ｂ３では、光カールコードＣ３のコードの向きＡ３が通信用コード挿入用溝部の方向と大きく異なるため、光カールコードＣ３のコードを部分Ｅで通信用コード挿入用溝部内に強制的に曲げて挿入するようになり、コードに無理が生じ、余分な応力がかかり、固定後の安定性やコードの信頼性を損なう欠点がある。
【０００７】
また、通信用コード固定装置Ｄ１〜Ｄ３に示すように、通信用コード挿入用溝部の方向をコードの向き合わせて固定した場合には、通信用コード固定装置Ｄ１〜Ｄ３に統一感がなく、美感が損なわれると共に、固定後の調整ができない等の欠点がある。
【０００８】
本発明は上記の事情に鑑みてなされたもので、通信用コードが保持されるコード保持部を、建造物に固定される固定装置本体に対して回動自在にすることにより、通信用コードの向きが変わることに対応することができ、通信用コードの向きが変わっても、コードに無理な応力がかからず、安定して固定することができ、長期使用に耐え得る信頼性向上が得られる通信用コード固定装置を提供することを目的とする。
【課題を解決するための手段】
【０００９】
上記目的を達成するために本発明は、通信用コードを建造物に固定する通信用コード固定装置であって、建造物に固定される固定装置本体と、前記固定装置本体に回動自在に設けられ、通信用コードが保持されるコード保持部とを具備することを特徴とするものである。
【００１０】
また本発明は、通信用コードを建造物に固定する通信用コード固定装置であって、建造物に固定される固定装置本体と、通信用コードが保持されるコード保持部と、前記固定装置本体に前記コード保持部を接続するように設けられ、前記固定装置本体に対して前記コード保持部が建造物の固定面と水平方向に回動自在に取り付けられる軸部とを具備することを特徴とするものである。
【００１１】
また本発明は、前記コード保持部として、通信用コードが挟み込まれて把持されるようにしたコード把持構造とすることを特徴とするものである。
【００１２】
また本発明は、前記固定装置本体の建造物への固定として、接着剤により貼り付けて固定することを特徴とするものである。
【００１３】
また本発明は、前記接着剤として、両面接着テープの接着剤を用いることを特徴とするものである。
【００１４】
また本発明は、前記固定装置本体の建造物への固定として、Ｕ字型釘を用いて固定することを特徴とするものである。
【発明の効果】
【００１５】
本発明の通信用コード固定装置は、通信用コードが保持されるコード保持部を、建造物に固定される固定装置本体に対して回動自在にすることにより、通信用コードの向きが変わることに対応することができ、通信用コードの向きが変わっても、コードに無理な応力がかからず、安定して固定することができ、長期使用に耐え得る信頼性向上が得られる。
【００１６】
例えば、通信用コードとして光カールコード等のバネ状の螺旋状コードを建造物に固定する際、螺旋状コードが任意の長さに伸ばされてコードの向きが変わっても、コード保持部が回動するためコードの向きとコード保持部の向きを合わせることができ、コードに過度の応力がかからず、安定して固定することができ、信頼性が向上する。また、バネ状の螺旋状コードの露出配線が可能になり、露出配線のゼロ余長配線が実現でき、余長収容等の手間がかからないため、露出配線の施工効率を大幅に向上させることができる。
【発明を実施するための最良の形態】
【００１７】
以下図面を参照して本発明の実施の形態例を詳細に説明する。
図１は本発明の実施形態例に係る通信用コード固定装置を示す斜視図であり、図２は本発明の実施形態例に係る通信用コード固定装置と通信用コードとの関係を示し、（ａ）は側面図、（ｂ）は正面図、（ｃ）は上面図である。円盤状の固定装置本体２１の下面には両面に接着剤が塗布された両面接着テープ２２の一方の面が接着される。前記固定装置本体２１の上面中央部には回転軸部２３の一端部が取り付けられ、前記回転軸部２３の他端部には円盤状のコード保持部２４が取り付けられる。前記回転軸部２３としては、例えばスイベル型ジョイント等を用いることができる。前記コード保持部２４は回転軸部２３を介して前記固定装置本体２１に対して回動自在に取り付けられる。前記コード保持部２４は円盤状のコード保持部本体２５と円盤状の上蓋２６が一部を回動自在に連結して構成され、前記上蓋２６は前記コード保持部本体２５上面を開閉自在にして取り付けられる。前記コード保持部本体２５の上面には溝部２７が設けられ、前記溝部２７内には凹凸部２８が設けられると共に、前記コード保持部本体２５の連結部と反対側には係止用の切欠部２９が設けられる。前記上蓋２６の前記溝部２７と対応する部分には凹凸部３０が設けられると共に、前記上蓋２６の連結部と反対側には下方に突出した係止部３１が一体にして設けられる。前記凹凸部２８及び凹凸部３０を設けることにより、通信用コードと接触する部分に凹凸部があるため、通信用コードを確実に固定でき、かつ大きな側応力がかからないようにすることができる。
【００１８】
前記固定装置本体２１は両面接着テープ２２により建造物に貼り付けて固定される。前記固定装置本体２１に対して前記コード保持部２４が建造物の固定面と水平方向に回動自在に取り付けられる。また、前記コード保持部本体２５の溝部２７には通信用コード３２が挿入されて後、コード保持部本体２５の上面を上蓋２６で塞ぎ係止部３１を切欠部２９に挿入係止することにより、通信用コード３２がコード保持部２４に保持される。コード保持部２４は通信用コードが挟み込まれて把持されるようにしたコード把持構造になっている。
【００１９】
図３は本発明の実施形態例に係る通信用コード固定装置を用いた施工例を示す説明図である。図３に示すように、本発明の実施形態例に係る通信用コード固定装置４１を用いて壁面４２に螺旋状の通信用コード例えば光カールコード４３を複数箇所固定する。すなわち、施工時、光カールコード４３を伸ばした状態で、光カールコード４３の向きに合わせて、通信用コード固定装置４１のコード保持部本体と上蓋の間に光カールコード４３を把持し、最後に、両面テープかＵ字型釘を使って、通信用コード固定装置４１の固定装置本体を壁面４２に固定して、作業終了となる。本実施形態例により、建造物の壁面４２に光カールコード４３を固定する際、光カールコード４３の固定位置での配線方向（角度）を任意に設定できるため、光カールコード４３に過度の応力を生じさせることなく、長期使用に耐え得る信頼性向上が得られる。したがって、建造物内の光ネットワークを構築する際に好適する。尚、光カールコード４３はバネ性を有し、自由に伸び縮みできるが、固定後、固定した光カールコード４３の向きを自由に変更することができる。
【００２０】
また、光カールコード４３を建造物に固定する際、光カールコード４３が任意の長さに伸ばされてコードの向きが変わっても、コード保持部が回動するためコードの向きとコード保持部の向きを合わせることができる。さらに、バネ状の光カールコード４３の露出配線が可能になり、露出配線のゼロ余長配線が実現でき、余長収容等の手間がかからないため、露出配線の施工効率を大幅に向上させることができる。
【００２１】
尚、本発明の実施形態例に係る通信用コード固定装置は、光カールコードに限らず、例えば光インドアケーブルやメタルケーブル（ＬＡＮケーブル、電話線等）の露出配線時の固定にも使用できるので、従来の通信用コード固定装置よりも適用範囲が広いことも利点である。
【００２２】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２３】
【図１】本発明の実施形態例に係る通信用コード固定装置を示す斜視図である。
【図２】本発明の実施形態例に係る通信用コード固定装置と通信用コードとの関係を示し、（ａ）は側面図、（ｂ）は正面図、（ｃ）は上面図である。
【図３】本発明の実施形態例に係る通信用コード固定装置を用いた施工例を示す説明図である。
【図４】従来の通信用コード固定装置を示す斜視図である。
【図５】従来の通信用コード固定装置を用いて螺旋状コードを固定する際の欠点を示す説明図である。
【符号の説明】
【００２４】
２１…固定装置本体、２２…両面接着テープ、２３…回転軸部、２４…コード保持部、２５…コード保持部本体、２６…上蓋、２７…溝部、２８…凹凸部、２９…切欠部、３０…凹凸部、３１…係止部、３２…通信用コード。
【図１】
2007020277.tif 000003
【図２】
2007020277.tif 000004
【図３】
2007020277.tif 000005
【図４】
2007020277.tif 000006
【図５】
2007020277.tif 000007